(57)【特許請求の範囲】
【請求項１】
上下方向に延びる筒壁（６）と、その筒壁（６）の上部を塞ぐように設けられた天板（７）と、前記筒壁（６）の下部を塞ぐように設けられた底板（８）とからなる筐体（２）と、
その筐体（２）の内部に収容された冷水タンク（１４）および温水タンク（１５）と、
前記冷水タンク（１４）内の飲料水を冷却する冷却装置（２０）と、
前記温水タンク（１５）内の飲料水を加熱する加熱装置（２６）と、
前記筐体（２）の前面側に配置された冷水蛇口（３）および温水蛇口（４）と、
前記冷水タンク（１４）と前記冷水蛇口（３）の間を連通する冷水注出路（２５）と、
前記温水タンク（１５）と前記温水蛇口（４）の間を連通する温水注出路（２７）とを有するウォーターサーバーにおいて、
前記筐体（２）の外部の空気を吸い込む空気吸込口（３５）と、その空気吸込口（３５）から吸い込んだ空気を浄化するフィルタ（３７）と、そのフィルタ（３７）で浄化された空気を前記筐体（２）の外部に放出する空気吹出口（３６）とをもつ空気清浄器（５）が前記筐体（２）内に収容して設けられ、
前記冷却装置（２０）は、前記筐体（２）の底板（８）の上に固定されたコンプレッサ（２１）と、そのコンプレッサ（２１）から吐出された高温の冷媒と外気との間で熱交換を行なう熱交換器（２２）と、その熱交換器（２２）を通過した冷媒を減圧して温度を低下させる膨張弁（２３）と、その膨張弁（２３）を通過した低温の冷媒と前記冷水タンク（１４）との間で熱交換を行なうように前記冷水タンク（１４）の外周に巻き付けられた冷却管（２４）とを有し、
前記空気清浄器（５）は、前記筐体（２）内の空間のうち、前記冷水タンク（１４）および前記温水タンク（１５）よりも下方、かつ、前記コンプレッサ（２１）よりも上方の領域に配置され、
前記熱交換器（２２）は、前記筐体（２）の後面に沿って左右に往復しながら上方から下方に冷媒を移動させるように折り曲げて形成された金属製のサーペンタインチューブであり、
前記空気吸込口（３５）および前記空気吹出口（３６）は、前記筐体（２）の前面側に開口するように設けられているウォーターサーバー。
【請求項２】
上下方向に延びる筒壁（６）と、その筒壁（６）の上部を塞ぐように設けられた天板（７）と、前記筒壁（６）の下部を塞ぐように設けられた底板（８）とからなる筐体（２）と、
その筐体（２）の内部に収容された冷水タンク（１４）および温水タンク（１５）と、
前記冷水タンク（１４）内の飲料水を冷却する冷却装置（２０）と、
前記温水タンク（１５）内の飲料水を加熱する加熱装置（２６）と、
前記筐体（２）の前面側に配置された冷水蛇口（３）および温水蛇口（４）と、
前記冷水タンク（１４）と前記冷水蛇口（３）の間を連通する冷水注出路（２５）と、
前記温水タンク（１５）と前記温水蛇口（４）の間を連通する温水注出路（２７）とを有するウォーターサーバーにおいて、
前記筐体（２）の外部の空気を吸い込む空気吸込口（３５）と、その空気吸込口（３５）から吸い込んだ空気を浄化するフィルタ（３７）と、そのフィルタ（３７）で浄化された空気を前記筐体（２）の外部に放出する空気吹出口（３６）とをもつ空気清浄器（５）が前記筐体（２）内に収容して設けられ、
前記フィルタ（３７）は平面状の部材であり、空気がフィルタ（３７）を通過する方向が筐体（２）の左右方向となるように筐体（２）の左右方向に交差する向きで前記フィルタ（３７）が組み付けられ、
前記空気吸込口（３５）と前記フィルタ（３７）の間を連通する上流側通風路（３８）と、前記フィルタ（３７）と前記空気吹出口（３６）の間を連通する下流側通風路（３９）とが設けられているウォーターサーバー。
【請求項３】
前記フィルタ（３７）は平面状の部材であり、空気がフィルタ（３７）を通過する方向が筐体（２）の左右方向となるように筐体（２）の左右方向に交差する向きで前記フィルタ（３７）が組み付けられ、
前記空気吸込口（３５）と前記フィルタ（３７）の間を連通する上流側通風路（３８）と、前記フィルタ（３７）と前記空気吹出口（３６）の間を連通する下流側通風路（３９）とが設けられている請求項１に記載のウォーターサーバー。
【請求項４】
前記空気清浄器（５）が、前記筐体（２）から着脱可能とされている請求項１または３に記載のウォーターサーバー。
【請求項５】
前記冷却装置（２０）は、前記筐体（２）の底板（８）の上に固定されたコンプレッサ（２１）と、そのコンプレッサ（２１）から吐出された高温の冷媒と外気との間で熱交換を行なう熱交換器（２２）と、その熱交換器（２２）を通過した冷媒を減圧して温度を低下させる膨張弁（２３）と、その膨張弁（２３）を通過した低温の冷媒と前記冷水タンク（１４）との間で熱交換を行なうように前記冷水タンク（１４）の外周に巻き付けられた冷却管（２４）とを有し、
前記空気清浄器（５）は、前記筐体（２）内の空間のうち、前記冷水タンク（１４）および前記温水タンク（１５）よりも下方、かつ、前記コンプレッサ（２１）よりも上方の領域に配置されている請求項２に記載のウォーターサーバー。
【請求項６】
前記空気清浄器（５）が、前記筐体（２）から着脱可能とされている請求項２または５に記載のウォーターサーバー。
【発明の詳細な説明】
【技術分野】
【０００１】
この発明は、飲料水を供給するウォーターサーバーに関する。
【背景技術】
【０００２】
従来、主にオフィスや病院などでウォーターサーバーが利用されてきたが、近年、水の安全や健康への関心の高まりから、一般家庭にもウォーターサーバーが普及しつつある。ウォーターサーバーは、通常、筐体と、その筐体の内部に収容された冷水タンクおよび温水タンクと、冷水タンク内の飲料水を冷却する冷却装置と、温水タンク内の飲料水を加熱する加熱装置と、筐体の前面側に配置された冷水蛇口および温水蛇口と、冷水タンクと冷水蛇口の間を連通する冷水注出路と、温水タンクと温水蛇口の間を連通する温水注出路とを有する。ウォーターサーバーをリビングやダイニング等の室内に設置すると、いつでも美味しい飲料水を冷水または温水の状態で利用することができるので、きわめて便利である（例えば、特許文献１）。
【先行技術文献】
【特許文献】
【０００３】
【特許文献１】特開２０１１−０４６４４６号公報
【発明の概要】
【発明が解決しようとする課題】
【０００４】
ウォーターサーバーをリビングやダイニング等の室内に設置すると、飲料水をいつでも利用することができて便利であるが、その反面、ウォーターサーバーの筐体が、リビングやダイニング等の室内スペースの一部を占有することになる。つまり、ウォーターサーバーが占有するスペースは、飲料水を利用しない間、無駄なデッドスペースとなる。
【０００５】
ここで、発明者は、飲料水を利用しない間にも、ウォーターサーバーの占有スペースを利用してリビングやダイニング等の室内の空気を浄化することができれば、いつでも美味しい飲料水を利用可能となるだけでなく、リビングやダイニング等の室内の空気も美味しいものとなり、きわめて快適な室内環境を実現することができる可能性に気付いた。
【０００６】
この発明が解決しようとする課題は、限られた居住空間において、きわめて快適な室内環境を実現できるウォーターサーバーを提供することである。
【課題を解決するための手段】
【０００７】
上記課題を解決するために、この発明では以下の構成のウォーターサーバーを提供する。
上下方向に延びる筒壁と、その筒壁の上部を塞ぐように設けられた天板と、前記筒壁の下部を塞ぐように設けられた底板とからなる筐体と、
その筐体の内部に収容された冷水タンクおよび温水タンクと、
前記冷水タンク内の飲料水を冷却する冷却装置と、
前記温水タンク内の飲料水を加熱する加熱装置と、
前記筐体の前面側に配置された冷水蛇口および温水蛇口と、
前記冷水タンクと前記冷水蛇口の間を連通する冷水注出路と、
前記温水タンクと前記温水蛇口の間を連通する温水注出路とを有するウォーターサーバーにおいて、
前記筐体の外部の空気を吸い込む空気吸込口と、その空気吸込口から吸い込んだ空気を浄化するフィルタと、そのフィルタで浄化された空気を前記筐体の外部に放出する空気吹出口とをもつ空気清浄器を前記筐体内に収容して設けたことを特徴とするウォーターサーバー。
【０００８】
このようにすると、飲料水を利用しない間にも、ウォーターサーバーの筐体内に収容された空気清浄器で空気を浄化することが可能となる。そのため、このウォーターサーバーをリビングやダイニング等の室内に設置することで、いつでも美味しい飲料水を利用可能となるだけでなく、リビングやダイニング等の室内の空気も美味しいものとなり、限られた居住空間においてきわめて快適な室内環境を実現することができる。
【０００９】
前記冷却装置として、前記筐体の底板の上に固定されたコンプレッサと、そのコンプレッサから吐出された高温の冷媒と外気との間で熱交換を行なう熱交換器と、その熱交換器を通過した冷媒を減圧して温度を低下させる膨張弁と、その膨張弁を通過した低温の冷媒と前記冷水タンクとの間で熱交換を行なうように前記冷水タンクの外周に巻き付けられた冷却管とを有するものを採用することができる。この場合、前記空気清浄器は、前記筐体内の空間のうち、前記冷水タンクおよび前記温水タンクよりも下方、かつ、前記コンプレッサよりも上方の領域に配置すると好ましい。
【００１０】
このようにすると、筐体の内部に空気清浄器を収容しつつ、冷水タンクおよび温水タンクから冷水蛇口および温水蛇口に飲料水を移動させるための飲料水の落差を確保することができる。
【００１１】
前記熱交換器として、前記筐体の後面に沿って左右に往復しながら上方から下方に冷媒を移動させるように折り曲げて形成された金属製のサーペンタインチューブを採用することができる。この場合、前記空気吸込口および空気吹出口を、空気吸込口が筐体の後面側に開口し、空気吹出口が筐体の前面側に開口するように設けることも可能であるが、このようにすると、サーペンタインチューブが位置する筐体の後面側と同じ側に空気吸込口が位置するので、空気吸込口に向かって移動する空気に含まれる埃がサーペンタインチューブに付着し、その付着した埃によりサーペンタインチューブの熱交換効率が低下するおそれがある。そこで、前記空気吸込口および前記空気吹出口は、前記筐体の前面側に開口するように設けると好ましい。
【００１２】
このようにすると、サーペンタインチューブが位置する筐体の後面側とは反対側（筐体の前面側）に空気吸込口が位置するので、空気吸込口に向かって移動する空気に含まれる埃がサーペンタインチューブに付着する事態を防止することができ、埃の付着によるサーペンタインチューブの熱交換効率の低下を防止することができる。
【００１３】
前記フィルタが平面状の部材である場合、フィルタを筐体の前後方向に直交する向きに組み付けることも可能であるが、このようにするとフィルタの面積を確保することが難しく、空気の浄化機能を確保することが難しい。そこで、空気がフィルタを通過する方向が筐体の左右方向となるように筐体の左右方向に交差する向きで前記フィルタを組み付け、前記空気吸込口と前記フィルタの間を連通する上流側通風路と、前記フィルタと前記空気吹出口の間を連通する下流側通風路とを設けたレイアウトを採用すると好ましい。このようにすると、フィルタの面積を確保しやすく、空気の浄化機能を確保することが可能となる。
【００１４】
前記空気清浄器は、前記筐体から着脱可能とすると好ましい。このようにすると、空気清浄器を筐体から取り外すことで、空気清浄器の掃除やメンテナンスが容易となる。
【発明の効果】
【００１５】
この発明のウォーターサーバーは、飲料水を利用しない間にも、ウォーターサーバーの筐体内に収容された空気清浄器で空気を浄化することができる。そのため、このウォーターサーバーをリビングやダイニング等の室内に設置することで、いつでも美味しい飲料水を利用可能となるだけでなく、リビングやダイニング等の室内の空気も美味しいものとなり、限られた居住空間においてきわめて快適な室内環境を実現することができる。
【図面の簡単な説明】
【００１６】
【図１】この発明の実施形態のウォーターサーバーを前面側から見た図
【図２】図１のII−II線に沿った断面図
【図３】図１に示すウォーターサーバーの空気清浄器の近傍の断面図
【発明を実施するための形態】
【００１７】
図１に、この発明の実施形態のウォーターサーバー１を示す。このウォーターサーバー１は、水平な床面Ｆの上に配置された上下に細長い筐体２と、筐体２の前面側に配置された冷水蛇口３および温水蛇口４と、筐体２内に収容された空気清浄器５とを有する。
【００１８】
図２に示すように、筐体２は、上下方向に延びる筒壁６と、筒壁６の上部を塞ぐように設けられた天板７と、筒壁６の下部を塞ぐように設けられた底板８とを有する。筒壁６は、左右一対の側面板９と、側面板９の前縁同士を連結する前面板１０と、側面板９の後縁同士を連結する後面板１１とで構成されている。前後の方向は、冷水蛇口３または温水蛇口４から飲料水を注出するユーザーから見て手前側が前方、奥側が後方である。
【００１９】
筐体２の天板７には、交換式の原水容器１２が着脱可能にセットされている。原水容器１２は、水出口１３を下向きにした姿勢で天板７に載置される。原水容器１２の容量は、満水状態で１０〜２０リットル程度である。この原水容器１２は、内部の残水量の減少に伴って収縮するように柔軟性をもたせて形成されている。筐体２の内部には、冷水タンク１４と温水タンク１５が収容されている。天板７には、原水容器１２から冷水タンク１４に飲料水を導入する原水導入管１６が設けられている。
【００２０】
原水導入管１６の一端部は原水容器１２に着脱可能に接続され、原水導入管１６の他端部は冷水タンク１４に固定して接続されている。原水導入管１６の冷水タンク１４側の端部には、冷水タンク１４内の水位に応じて開閉するフロートバルブ１７が設けられている。原水容器１２として、内部の残水量が減少しても変形しないように剛性をもたせて形成したタイプのものを採用する場合、フロートバルブ１７は不要である。この場合は、冷水タンク１４内の水位が原水導入管１６の冷水タンク１４側の端部と同じ高さとなる。筐体２の上部には、原水容器１２を覆う化粧カバー１８が取り付けられている。
【００２１】
冷水タンク１４には、冷水タンク１４内に収容された飲料水を冷却する冷却装置２０が取り付けられている。冷却装置２０は、コンプレッサ２１と熱交換器２２と膨張弁２３と冷却管２４とを有する。コンプレッサ２１は、筐体２の底板８の上に固定されている。熱交換器２２は、筐体２の後面に沿って左右に往復しながら上方から下方に冷媒を移動させるように折り曲げて形成された金属製のサーペンタインチューブである。コンプレッサ２１と熱交換器２２と膨張弁２３と冷却管２４は、順に冷媒が通過して循環するように冷媒用の配管で接続されている。冷却管２４は、冷水タンク１４の下部外周に螺旋状に巻き付けられている。
【００２２】
コンプレッサ２１は、冷却管２４から冷媒を吸引し、その冷媒を圧縮して冷媒の温度を上昇させ、高温高圧となった冷媒を熱交換器２２の側に吐出する。熱交換器２２は、コンプレッサ２１から吐出された高温高圧の冷媒を受け入れ、その冷媒と外気との間で熱交換を行なう。膨張弁２３は、熱交換器２２を通過した冷媒を受け入れ、その冷媒を減圧して温度を低下させる。冷却管２４は、膨張弁２３を通過した低温低圧の冷媒を受け入れ、その冷媒と冷水タンク１４との間で熱交換を行なう。コンプレッサ２１は、冷水タンク１４の温度が所定のしきい値よりも高くなったときに作動し、このとき冷却管２４はマイナス１５℃からマイナス３０℃程度の低温となり、冷水タンク１４内の飲料水を冷却する。このようにして、冷水タンク１４内の飲料水は、所定の低温（５℃程度）に保たれる。
【００２３】
冷水タンク１４の底面には、冷水タンク１４と冷水蛇口３の間を連通する冷水注出路２５の一端が接続されており、冷水蛇口３を開く操作によって冷水タンク１４から低温の飲料水をカップ等に注出できるようになっている。ここで、冷水蛇口３は、冷水タンク１４内の低温の飲料水がその自重で冷水注出路２５を通って冷水蛇口３から注出されるように（すなわちポンプを使用せずに低温の飲料水を注出できるように）、冷水タンク１４の底面よりも低い位置に配置されている。冷水タンク１４の飲料水の容量は、原水容器１２の容量よりも小さく、２〜４リットル程度である。
【００２４】
温水タンク１５は、冷水タンク１４の下方に配置されている。温水タンク１５には、温水タンク１５内に収容された飲料水を加熱する加熱装置２６が取り付けられている。図では、加熱装置２６にシーズヒーターを採用した例を示しているが、バンドヒーターを採用することもできる。シーズヒーターは、金属製のパイプの中に通電により発熱する発熱線を収容したものであり、温水タンク１５の壁面を貫通して温水タンク１５の内部を延びるように取り付けられる。バンドヒーターは、通電により発熱する発熱線が埋め込まれた円筒形の発熱体であり、温水タンク１５の外周に密着して取り付けられる。加熱装置２６は、温水タンク１５内の飲料水を高温（９０℃程度）に保つ。
【００２５】
温水タンク１５の上面には、温水タンク１５と温水蛇口４の間を連通する温水注出路２７が接続されており、温水蛇口４を開く操作によって温水タンク１５から高温の飲料水をカップ等に注出できるようになっている。温水タンク１５の容量は１〜２リットル程度である。
【００２６】
冷水タンク１４と温水タンク１５はタンク接続管２８を介して連通しており、温水タンク１５から飲料水を注出すると、その飲料水と同量の飲料水が、タンク接続管２８を通って冷水タンク１４から温水タンク１５に流入し、温水タンク１５が常に満水状態に保たれるようになっている。ここで、温水蛇口４は、温水タンク１５内の高温の飲料水が、冷水タンク１４内の飲料水の自重による圧力で温水注出路２７を通って温水蛇口４から注出されるように（すなわちポンプを使用せずに高温の飲料水を注出できるように）、冷水タンク１４の底面よりも低い位置に配置されている。
【００２７】
図１に示すように、筐体２には、空気清浄器５を収容する収容開口部３０が設けられている。収容開口部３０は、空気清浄器５を筐体２の前面側から着脱できるように、筐体２の前面板１０に開口している。空気清浄器５は、筐体２内の空間のうち、冷水タンク１４および温水タンク１５よりも下方、かつ、コンプレッサ２１よりも上方の領域に配置されている。
【００２８】
図３に示すように、収容開口部３０は、空気清浄器５を下側から支持する内底板３１と、空気清浄器５を左右から支持する左右一対の内側板３２と、内底板３１の上側に対向する内天板３３とを有する。空気清浄器５は、筐体２の収容開口部３０に収容可能な大きさをもつケース３４と、ケース３４の前面に開口する空気吸込口３５および空気吹出口３６（図１参照）と、ケース３４内に収容されたフィルタ３７と、空気吸込口３５とフィルタ３７の間を連通する上流側通風路３８と、フィルタ３７と空気吹出口３６の間を連通する下流側通風路３９と、下流側通風路３９の途中に設けられた遠心ファン４０とを有する。
【００２９】
フィルタ３７は、空気透過性をもつように繊維で形成された平面状の部材であり、空気をフィルタ３７に通過させたときにその空気中の埃や微粒子をフィルタ３７に捕捉することで空気を浄化する。フィルタ３７は、空気がフィルタ３７を通過する方向が筐体２の左右方向となるように、筐体２の左右方向に交差する向きに組み込まれている。このような平面状のフィルタ３７として、例えば、シート状の濾材を筐体２の前後方向または上下方向に積層するように折り畳んだ蛇腹状のものを採用することができる。図ではフィルタ３７の向きを筐体２の左右方向に直交する向きとしているが、筐体２の左右方向に対して斜めに交差する向きとすることも可能である。
【００３０】
空気吸込口３５はフィルタ３７よりも下方に配置され、その空気吸込口３５とフィルタ３７の間を連通するように上流側通風路３８がＬ字状に設けられている。また、空気吹出口３６はフィルタ３７よりも上方に配置され、その空気吹出口３６とフィルタ３７の間を連通するように下流側通風路３９がＬ字状に設けられている。
【００３１】
遠心ファン４０は、電動モータ４１と、電動モータ４１で回転駆動される円筒状の羽根車４２とからなる。羽根車４２は、筐体２の左右方向と平行な軸心まわりに回転する向きでフィルタ３７に隣接して配置されている。この羽根車４２が回転すると、羽根車４２の内部に発生する負圧によって、フィルタ３７を通って上流側通風路３８から下流側通風路３９に向かう空気の流れが発生する。このとき、筐体２の外部の空気が空気吸込口３５からケース３４の内側に吸い込まれ、その空気が上流側通風路３８、フィルタ３７、下流側通風路３９を順に通って空気吹出口３６からケース３４の外側（筐体２の外部）に放出される。
【００３２】
このウォーターサーバー１は、飲料水を利用しない間にも、ウォーターサーバー１の筐体２内に収容された空気清浄器５で空気を浄化することができる。そのため、このウォーターサーバー１をリビングやダイニング等の室内に設置することで、いつでも美味しい飲料水を利用可能となるだけでなく、リビングやダイニング等の室内の空気も美味しいものとなり、限られた居住空間においてきわめて快適な室内環境を実現することができる。
【００３３】
また、このウォーターサーバー１は、筐体２内の空間のうち、冷水タンク１４および温水タンク１５よりも下方、かつ、コンプレッサ２１よりも上方の領域に空気清浄器５を配置している。そのため、筐体２の内部に空気清浄器５を収容しつつ、冷水タンク１４および温水タンク１５から冷水蛇口３および温水蛇口４に飲料水を移動させるための飲料水の落差を確保することが可能となっている。
【００３４】
ところで、空気清浄器５の空気吸込口３５および空気吹出口３６は、空気吸込口３５が筐体２の後面側に開口し、空気吹出口３６が筐体２の前面側に開口するように設けることも可能であるが、このようにすると、熱交換器２２（サーペンタインチューブ）が位置する筐体２の後面側と同じ側に空気吸込口３５が位置するので、空気吸込口３５に向かって移動する空気に含まれる埃が熱交換器２２に付着し、その付着した埃により熱交換器２２の熱交換効率が低下するおそれがある。
【００３５】
これに対し、上記のウォーターサーバー１は、空気清浄器５の空気吸込口３５および空気吹出口３６を筐体２の前面側に開口するように設けている。これにより、熱交換器２２（サーペンタインチューブ）が位置する筐体２の後面側とは反対側（筐体２の前面側）に空気吸込口３５が位置するので、空気吸込口３５に向かって移動する空気に含まれる埃が熱交換器２２に付着する事態を防止することができ、埃の付着による熱交換器２２の熱交換効率の低下を防止することが可能となっている。
【００３６】
フィルタ３７は、筐体２の前後方向に直交する向きに組み付けることも可能であるが、このようにするとフィルタ３７の面積を確保することが難しく、空気の浄化機能を確保することが難しくなる。
【００３７】
これに対し、上記のウォーターサーバー１は、筐体２の左右方向に交差する向きでフィルタ３７を組み付け、空気吸込口３５とフィルタ３７の間を連通する上流側通風路３８と、フィルタ３７と空気吹出口３６の間を連通する下流側通風路３９とを設けたレイアウトを採用しているので、フィルタ３７の面積を確保しやすく、空気の浄化機能を確保することが可能となっている。
【００３８】
また、上記のウォーターサーバー１は、空気清浄器５を筐体２から取り外すことができるので、空気清浄器５の掃除やメンテナンスが容易である。
【００３９】
上記実施形態では、交換式の原水容器１２から冷水タンク１４に飲料水を導入するタイプのウォーターサーバー１を例に挙げて説明したが、この発明は、上水道から浄水フィルタを介して冷水タンク１４に飲料水を導入するタイプのウォーターサーバーにも適用することができる。
【符号の説明】
【００４０】
１        ウォーターサーバー
２        筐体
３        冷水蛇口
４        温水蛇口
５        空気清浄器
６        筒壁
７        天板
８        底板
１４      冷水タンク
１５      温水タンク
２０      冷却装置
２１      コンプレッサ
２２      熱交換器
２３      膨張弁
２４      冷却管
２５      冷水注出路
２６      加熱装置
２７      温水注出路
３５      空気吸込口
３６      空気吹出口
３７      フィルタ
３８      上流側通風路
３９      下流側通風路
【要約】
【課題】限られた居住空間において、きわめて快適な室内環境を実現できるウォーターサーバーを提供する。
【解決手段】筒壁６と天板７と底板８とからなる筐体２と、その筐体２の内部に収容された冷水タンク１４および温水タンク１５と、冷水タンク１４内の飲料水を冷却する冷却装置２０と、温水タンク１５内の飲料水を加熱する加熱装置２６と、筐体２の前面側に配置された冷水蛇口３および温水蛇口４とを有するウォーターサーバー１において、筐体２の外部の空気を吸い込む空気吸込口３５と、その空気吸込口３５から吸い込んだ空気を浄化するフィルタ３７と、そのフィルタ３７で浄化された空気を筐体２の外部に放出する空気吹出口３６とをもつ空気清浄器５を筐体２内に収容して設ける。
【選択図】図２【図１】
0005809742.tif 000002
【図２】
0005809742.tif 000003
【図３】
0005809742.tif 000004